(57)【要約】      （修正有）【課題】タービンシステムにおいてストラットの強度を低下させない、またタービンシステム全体の動作効率全体を低下させない排気フレーム用ストラットを提供する。【解決手段】ストラットは、前縁（１０６）および後縁（１０８）を含む本体（１０１）と、本体を通して形成され、前縁と後縁との間に半径方向に延びる少なくとも１つの開口（１１０Ａ，１１０Ｂ）と、前縁と開口との間に形成された第１のセクション（１２６）と、後縁と開口との間に形成された第２のセクション（１２８）とを含むことができる。第２のセクションは、第１のセクション（１２６）から独立して移動するように構成することができる。【選択図】図３
2018115656.tif 000002
【特許請求の範囲】
【請求項１】
タービンシステム（１０）の排気フレーム（３４）用ストラット（１００）であって、前記ストラット（１００）は、
前縁（１０６）および後縁（１０８）を含む本体（１０１）と、
前記本体（１０１）を通して形成され、前記前縁（１０６）と前記後縁（１０８）との間に半径方向に延びる開口（１１０）と、
前記前縁（１０６）と前記開口（１１０）との間に形成された第１のセクション（１２６）と、
前記後縁（１０８）と前記開口（１１０）との間に形成され、前記第１のセクション（１２６）から独立して移動するように構成された第２のセクション（１２８）と
を含む、ストラット（１００）。
【請求項２】
前記開口（１１０）に軸方向に隣接して前記本体（１０１）を通して形成された別個の開口（１１０Ａ，１１０Ｂ）をさらに含み、前記別個の開口（１１０Ａ，１１０Ｂ）が、前記前縁（１０６）と前記後縁（１０８）との間に半径方向に延びる、
請求項１に記載のストラット（１００）。
【請求項３】
前記第２のセクション（１２８）が、前記開口（１１０）と前記別個の開口（１１０Ａ，１１０Ｂ）との間に形成される、請求項２に記載のストラット（１００）。
【請求項４】
前記後縁（１０８）と前記別個の開口（１１０Ａ，１１０Ｂ）との間に前記本体（１０１）を通して形成され、
前記第１のセクション（１２６）、および
前記第２のセクション（１２８）から独立して移動するように構成された第３のセクション（１３０）
をさらに含む、請求項３に記載のストラット（１００）。
【請求項５】
前記第１のセクション（１２６）の軸方向幅が、
前記第２のセクション（１２８）、および
前記第３のセクション（１３０）の軸方向幅に等しい、
請求項４に記載のストラット（１００）。
【請求項６】
前記第１のセクション（１２６）が、前記第２のセクション（１２８）の第２の軸方向幅（Ｗ2）とは異なる第１の軸方向幅（Ｗ1）を含む、請求項１に記載のストラット（１００）。
【請求項７】
前記開口（１１０）が、キーホールスロットを含む、請求項１に記載のストラット（１００）。
【請求項８】
タービンシステム（１０）用排気フレーム（３４）であって、前記排気フレーム（３４）は、
内側ケーシング（３８）と、
前記内側ケーシング（３８）を同心状に囲む外側ケーシング（４０）と、
前記内側ケーシング（３８）と前記外側ケーシング（４０）との間に半径方向に延びて結合された複数のストラット（１００）と
を含み、前記複数のストラット（１００）の各々は、
前縁（１０６）および後縁（１０８）を含む本体（１０１）と、
前記本体（１０１）を通して形成され、前記前縁（１０６）と前記後縁（１０８）との間に半径方向に延びる開口（１１０）と、
前記前縁（１０６）と前記開口（１１０）との間に形成された第１のセクション（１２６）と、
前記後縁（１０８）と前記開口（１１０）との間に形成され、前記第１のセクション（１２６）から独立して移動するように構成された第２のセクション（１２８）と
を含む、排気フレーム（３４）。
【請求項９】
前記複数のストラット（１００）の少なくとも１つが、
前記開口（１１０）に軸方向に隣接して前記本体（１０１）を通して形成された別個の開口（１１０Ａ，１１０Ｂ）をさらに含み、前記別個の開口（１１０Ａ，１１０Ｂ）が、前記前縁（１０６）と前記後縁（１０８）との間に半径方向に延びる、
請求項８に記載の排気フレーム（３４）。
【請求項１０】
前記第２のセクション（１２８）が、前記開口（１１０）と前記別個の開口（１１０Ａ，１１０Ｂ）との間に形成される、請求項９に記載の排気フレーム（３４）。
【請求項１１】
前記後縁（１０８）と前記別個の開口（１１０Ａ，１１０Ｂ）との間に形成され、
前記第１のセクション（１２６）、および
前記第２のセクション（１２８）から独立して移動するように構成された第３のセクション（１３０）
をさらに含む、請求項１０に記載の排気フレーム（３４）。
【請求項１２】
前記第１のセクション（１２６）の軸方向幅が、
前記第２のセクション（１２８）、および
前記第３のセクション（１３０）の軸方向幅に等しい、
請求項１１に記載の排気フレーム（３４）。
【請求項１３】
前記第１のセクション（１２６）が、前記第２のセクション（１２８）の第２の軸方向幅（Ｗ2）とは異なる第１の軸方向幅（Ｗ1）を含む、請求項８に記載の排気フレーム（３４）。
【請求項１４】
前記複数のストラット（１００）の各々の前記開口（１１０）が、キーホールスロットを含む、請求項８に記載の排気フレーム（３４）。
【発明の詳細な説明】
【技術分野】
【０００１】
本開示は、一般に、タービンシステムに関し、より具体的には、タービンシステムの排気フレーム用支持ストラットに関する。
【背景技術】
【０００２】
従来のタービンシステムでは、排気ハウジングまたはフレームは、典型的には、タービン構成要素の出口に取り付けまたは結合される。これらの排気ハウジングは、タービン構成要素に取り付けられ、タービン構成要素を通過するおよび／またはタービン構成要素からのガスをタービンシステムを囲む環境に安全に誘導するか、あるいは、追加のプロセスのためにガスを利用し得る別の構成要素（たとえば、排熱回収ボイラ）にガスを誘導する。従来の排気ハウジングは、典型的には、タービン構成要素に直接結合された２つの同心シェルと、シェル間に画定されたガスのための流路とを含む。
【０００３】
さらに、従来の排気ハウジングは、典型的には、２つのシェルの間に配置され、２つのシェルを結合する複数の支持構造を含む。これらの支持構造は、しばしばストラットと呼ばれる。タービンシステムの動作中、同心シェルは、システムおよびその構成要素から大きな応力および／または負荷を受ける可能性がある。たとえば、タービンシステムの動作中のタービン構成要素の移動は、排気ハウジングに大きな応力、力または負荷を与え得る。ストラットは、タービンシステムの動作中にシェルを支持および／または安定化させるために排気ハウジング内で利用される。
【０００４】
支持／安定化を確実にし、排気ハウジングがタービンシステムの動作中に大きな応力および負荷に耐えることができるようにするために、従来のストラットは、剛性材料（たとえば、金属）の固体片でできており、可能な限り厚くなっている。しかし、ストラットの厚さが増加すると、排気ハウジング、最終的にタービンシステムの動作効率が低下する。具体的には、複数の実質的に厚いストラットは、所望の支持／安定化をもたらすことができ、排気ハウジングによって形成された多数の流れ領域を覆うことができる。その結果、タービン構成要素から排気ハウジング内に流れるガスは、これらの従来のストラットの周りで遮断および／または迂回され得、排気ハウジング内の圧力が望ましくない上昇を起こす可能性がある。
【発明の概要】
【０００５】
固体の剛性材料から形成された従来のストラットは、タービンシステムの動作中に同様のおよび／または別個の応力および負荷を受けることがある。これらの応力および負荷は、時間の経過とともにストラットの強度を低下させる可能性がある。これらの従来のストラットのサイズと強度の低下の組合せは、従来のストラットを損傷または破損させやすいものにする。排気ハウジングのストラットが損傷すると、排気ハウジングの同心シェルは、もはや支持または安定化されなくなる可能性がある。その結果、排気ハウジングが緩くなり、および／またはタービン構成要素がシフトし、移動し、または不安定になる場合がある。これは、タービンシステム全体の動作効率全体を低下させることになり得る。
【０００６】
本開示の第１の態様は、タービンシステムの排気フレーム用ストラットを提供し、ストラットは、前縁および後縁を含む本体と、本体を通して形成され、前縁と後縁との間に半径方向に延びる開口と、前縁と開口との間に形成された第１のセクションと、後縁と開口との間に形成され、第１のセクションから独立して移動するように構成された第２のセクションとを含む。
【０００７】
本開示の第２の態様は、タービンシステム用排気フレームを提供し、排気フレームは、内側ケーシングと、内側ケーシングを同心状に囲む外側ケーシングと、内側ケーシングと外側ケーシングとの間に半径方向に延びて結合された複数のストラットとを含み、複数のストラットの各々は、前縁および後縁を含む本体と、本体を通して形成され、前縁と後縁との間に半径方向に延びる開口と、前縁と開口との間に形成された第１のセクションと、後縁と開口との間に形成され、第１のセクションから独立して移動するように構成された第２のセクションとを含む。
【０００８】
本開示の第３の態様は、タービンシェルを含むタービンと、タービンを通って延びるシャフトと、タービンに隣接して配置された排気フレームとを含むタービンシステムを提供し、排気フレームは、シャフトを受け入れるように構成された内側ケーシングと、内側ケーシングを同心状に囲み、タービンシェルに結合された外側ケーシングと、内側ケーシングと外側ケーシングとの間に半径方向に延びて結合された複数のストラットとを含み、複数のストラットの少なくとも１つは、前縁および後縁を含む本体と、本体を通して形成され、前縁と後縁との間に半径方向に延びる開口と、前縁と開口との間に形成された第１のセクションと、後縁と開口との間に形成され、第１のセクションから独立して移動するように構成された第２のセクションとを含む。
【０００９】
本開示の例示的な態様は、本明細書で説明される問題および／または議論されていない他の問題を解決する。
【００１０】
本開示のこれらおよび他の特徴は、本開示の様々な実施形態を示す添付の図面と併せて、本開示の様々な態様の以下の詳細な説明から、より容易に理解されよう。
【図面の簡単な説明】
【００１１】
【図１】実施形態によるガスタービンシステムの概略図である。
【図２】実施形態による、図１のガスタービンシステムのストラットを含む排気フレームの等角図である。
【図３】実施形態による、図２の排気フレームの単一のストラットの側面図である。
【図４】実施形態による、線４−４に沿った図３のストラットの断面底面図である。
【図５】実施形態による、単一の開口を含む単一のストラットの側面図である。
【図６】別の実施形態による、単一の開口を含む単一のストラットの側面図である。
【図７】さらなる実施形態による、単一の開口を含む単一のストラットの側面図である。
【図８】実施形態による、複数の開口を含む単一のストラットの側面図である。
【図９】追加の実施形態による、複数の開口を含む単一のストラットの側面図である。
【図１０】さらなる実施形態による、複数の開口を含む単一のストラットの側面図である。
【発明を実施するための形態】
【００１２】
本開示の図面は、原寸に比例して示されていないことに留意されたい。図面は、本開示の典型的な態様だけを示すことを目的としており、したがって、本開示の範囲を限定するものとみなすべきではない。図面において、同様の番号は、図面間で同様の要素を表す。
【００１３】
最初の問題として、本開示を明確に説明するために、本開示の範囲内の関連する機械構成要素を参照して説明するときに、特定の専門用語を選択することが必要になる。これを行う場合、可能な限り、一般的な工業専門用語が、その受け入れられた意味と同じ意味で使用および利用される。別途記載のない限り、このような専門用語は、本出願の文脈および添付の特許請求の範囲と一致する広義の解釈を与えられるべきである。当業者であれば、多くの場合、特定の構成要素がいくつかの異なるまたは重複する用語を使用して参照されることがあることを理解するであろう。単一の部品であるとして本明細書に記載され得るものは、複数の構成要素からなるものとして別の文脈を含み、かつ別の文脈で参照されてもよい。あるいは、複数の構成要素を含むものとして本明細書に記載され得るものは、単一の部品として他の場所で参照されてもよい。
【００１４】
さらに、本明細書ではいくつかの記述上の用語を定常的に使用する場合があり、この点についてこれらの用語を定義することが有用であることが証明されるはずである。これらの用語およびその定義は、別途記載のない限り、以下の通りである。本明細書で使用する場合、「下流」および「上流」とは、タービンエンジンを通る作動流体または、たとえば、燃焼器を通る空気の流れ、またはタービンの構成要素システムの１つを通る冷却剤のような流体の流れに対する方向を示す用語である。「下流」という用語は、流体の流れの方向に相当し、「上流」という用語は、流れの反対の方向を指す。「前方」および「後方」という用語は、別途指定のない限り、方向を指し、「前方」はエンジンの前方または圧縮機端部を指し、「後方」はエンジンの後方またはタービン端部を指す。さらに、「先導する」および「後続する」という用語は、それぞれ、「前方」および「後方」という用語と同様の記述で使用され、および／または理解され得る。多くの場合、異なる半径方向、軸方向および／または円周方向の位置にある部品を記述することが要求される。「Ａ」軸線は、軸方向を表す。本明細書で使用する場合、「軸方向の」および／または「軸方向に」という用語は、タービンシステム（特に、ロータセクション）の回転軸と実質的に平行な軸線Ａに沿った物体の相対的な位置／方向を指す。さらに本明細書で使用する場合、「半径方向の」および／または「半径方向に」という用語は、軸線Ａと実質的に垂直でありかつただ１つの位置において軸線Ａと交差する軸線「Ｒ」（たとえば、図１）に沿った物体の相対的な位置／方向を指す。最後に、「円周方向の」という用語は、軸線Ａ（たとえば、軸線「Ｃ」）周りの移動または位置を指す。
【００１５】
以下の開示は、一般に、タービンシステムに関し、より具体的には、タービンシステムの排気フレーム用支持ストラットに関する。
【００１６】
これらおよび他の実施形態は、図１〜図１０を参照して以下に説明される。しかし、当業者であれば、これらの図に関して本明細書に与えられた詳細な説明は例示のためのものであり、限定するものとして解釈すべきではないことを容易に理解するであろう。
【００１７】
図１は、本明細書で使用され得るガスタービンシステム１０の概略図を示す。ガスタービンシステム１０は、圧縮機１２を含むことができる。圧縮機１２は、流入する空気１８の流れを圧縮する。圧縮機１２は、圧縮された空気２０の流れを燃焼器２２に送る。燃焼器２２は、圧縮された空気２０の流れを加圧された燃料２４の流れと混合し、この混合物に点火して、燃焼ガス２６の流れを生成する。単一の燃焼器２２のみが示されているが、ガスタービンシステム１０は、任意の数の燃焼器２２を含むことができる。次いで、燃焼ガス２６の流れは、典型的には複数のタービンブレードまたはバケットおよびステータベーンを含むタービン２８に送られる。燃焼ガス２６の流れは、タービン２８を駆動して機械的仕事を発生させる。タービン２８で発生された機械的仕事は、タービン２８を通って延びるシャフト３０を介して圧縮機１２を駆動し、発電機などの外部負荷３２を駆動するために使用することができる。
【００１８】
ガスタービンシステム１０はまた、排気フレーム３４を含むことができる。図１に示すように、排気フレーム３４は、ガスタービンシステム１０のタービン２８に隣接して配置することができる。より具体的には、排気フレーム３４は、タービン２８に隣接して配置することができ、タービン２８の、および／または燃焼器２２からタービン２８に流れる燃焼ガス２６の流れの実質的に下流に配置することができる。本明細書で論じるように、排気フレーム３４の一部（たとえば、外側ケーシング）は、タービン２８のエンクロージャまたはシェル３６に直接結合することができる。
【００１９】
燃焼ガス２６が流れてタービン２８を駆動した後、燃焼ガス２６は、排気フレーム３４を通って流れ方向（Ｄ）に排気、流入および／または排出され得る。図１に示す非限定的な例では、燃焼ガス２６は、流れ方向（Ｄ）に排気フレーム３４を通って流れ、ガスタービンシステム１０から（たとえば、大気に）排出され得る。ガスタービンシステム１０が複合サイクル発電プラント（たとえば、ガスタービンシステムおよび蒸気タービンシステムを含む）の一部である別の非限定的な例では、燃焼ガス２６は排気フレーム３４から排出され、流れ方向（Ｄ）で複合サイクル発電プラントの排熱回収ボイラに流入してもよい。
【００２０】
図２は、ガスタービンシステム１０の例示的な排気フレーム３４の等角図を示す。排気フレーム３４は、内側ケーシング３８と、外側ケーシング４０とを含むことができる。内側ケーシング３８は、外側ケーシング４０内に配置され、実質的に囲まれ、および／または同心状とすることができる。図２に示すように、内側ケーシング３８は、実質的に環状であってもよく、その中に形成される開口部４２を含むことができる。非限定的な例では、内側ケーシング３８の開口部４２は、ガスタービンシステム１０（図１参照）のシャフト３０の一部を受け入れるように構成されてもよい。すなわち、ガスタービンシステム１０のシャフト３０の一部は、排気フレーム３４の内側ケーシング３８の開口部４２内に配置され、かつ／または開口部４２を通過することができる。非限定的な例では、シャフト３０は、内側ケーシング３８によって支持され、本明細書で論じるように、ガスタービンシステム１０のタービン２８が燃焼ガス２６の流れによって駆動されるとき、開口部４２内で自由に回転することができる。別の非限定的な例では、内側ケーシング３８の開口部４２は、内側ケーシング３８の開口部４２内に固定され、ガスタービンシステム１０のシャフト３０に結合され得るシャフト支持部（図示せず）を受け入れることができる。排気フレーム３４の内側ケーシング３８の開口部４２内に固定されたシャフト支持部は、シャフト３０を内側ケーシング３８に結合し、本明細書で論じるように、ガスタービンシステム１０の動作中にシャフト３０が自由に回転することを可能にすることができる。
【００２１】
排気フレーム３４の外側ケーシング４０は、内側ケーシング３８の周りに配置することができる。具体的には、図２に示すように、外側ケーシング４０は、排気フレーム３４の内側ケーシング３８を同心状に囲むことができる。内側ケーシング３８と同様に、外側ケーシング４０は、実質的に環状であってもよく、その中に形成される開口部４４を含むことができる。開口部４４は、外側ケーシング４０と内側ケーシング３８との間の燃焼ガス２６の流れ領域４６を画定することができる。すなわち、ガスタービンシステム１０の動作中、燃焼ガス２６は、流れ領域４６内およびその中を通る方向（Ｄ）（図１参照）に流入し、その後、本明細書で論じるように、排気フレーム３４から排気され得る。図１に簡単に戻って、引き続き図２を参照すると、外側ケーシング４０は、タービン２８のシェル３６に直接結合されてもよく、内側ケーシング３８内に配置されるか、または内側ケーシング３８によって受け入れられるシャフト３０の一部を実質的におよび／または同心状に囲むことができる。
【００２２】
排気フレーム３４はまた、内側ケーシング３８と外側ケーシング４０との間に配置された少なくとも１つのストラット１００を含むことができる。非限定的な例では、排気フレーム３４は、内側ケーシング３８と外側ケーシング４０との間に円周方向に配置された複数のストラット１００を含むことができる。図２に示すように、排気フレーム３４の各ストラット１００は、内側ケーシング３８と外側ケーシング４０との間に半径方向に延びることができ、内側ケーシング３８および外側ケーシング４０の各々に結合され得る。ストラット１００は、これらに限定されないが、機械的締結、溶接、ろう付け、鋳造などを含む任意の適切な結合技術を使用して、内側ケーシング３８および外側ケーシング４０の各々に結合されてもよい。さらに、排気フレーム３４の複数のストラット１００は、内側ケーシング３８と外側ケーシング４０との間に画定された排気フレーム３４の流れ領域内に配置されてもよい。本明細書で論じるように、排気フレーム３４のストラット１００は、内側ケーシング３８と外側ケーシング４０を結合し、ガスタービンシステム１０の動作中に排気フレーム３４を支持することができる。
【００２３】
図３は、ガスタービンシステム１０（図１参照）の排気フレーム３４の単一のストラット１００の側面図を示す。ストラット１００は、本体１０１と、本体１０１の対向する端部に配置された第１の端部１０２および第２の端部１０４とを含むことができる。ストラット１００の第１の端部１０２は、排気フレーム３４の外側ケーシング４０に接触し、かつ／または結合されてもよい（図２参照）。さらに、ストラット１００の第２の端部１０４は、第１の端部１０２および／または外側ケーシング４０に対向する排気フレーム３４の内側ケーシング３８に接触し、かつ／または結合されてもよい。ストラット１００の本体１０１はまた、第１の端部１０２と第２の端部１０４との間に配置された前縁１０６および後縁１０８を含むことができる。前縁１０６は、後縁１０８の反対側および／または上流に配置することができる。ガスタービンシステム１０の動作中、燃焼ガス２６は、第１の接触前縁１０６へと方向（Ｄ）に流れ、排気フレーム３４から排気および／または排出される前に、ストラット１００の本体１０１上を後縁１０８に向かって流れることができる。
【００２４】
排気フレーム３４のストラット１００は、本体１０１を通して形成された少なくとも１つの開口１１０を含むことができる。具体的には、ストラット１００は、前縁１０６と後縁１０８との間に、本体１０１内に半径方向に延びて形成された少なくとも１つの開口１１０を含むことができる。さらに、少なくとも１つの開口１１０は、ストラット１００の第１の端部１０２と第２の端部１０４との間に、本体１０１内に半径方向に延び、かつ／または形成されてもよい。少なくとも１つの開口１１０は、ストラット１００の本体１０１を完全に通して形成することができ、それによりストラット１００上を流れる燃焼ガス２６はまた、ストラット１００の開口１１０および／または本体１０１を通って流れることができる。
【００２５】
図３に示す非限定的な例では、ストラット１００は、ストラット１００を通して形成された２つの別個の開口１１０Ａ，１１０Ｂを含むことができる。第１の開口１１０Ａは、前縁１０６と後縁１０８との間、具体的には、前縁１０６と第２の開口１１０Ｂとの間に配置されてもよい。さらに、第２の開口１１０Ｂは、前縁１０６と後縁１０８との間、具体的には、後縁１０８と第１の開口１１０Ａとの間に配置されてもよい。その結果、開口１１０Ａ，１１０Ｂは、互いに軸方向に隣接して配置され得る。図３の非限定的な例に示すように、第２の開口１１０Ｂは、第１の開口１１０Ａの軸方向に隣接して、かつ軸方向下流に配置されてもよい。図に示す開口１１０の数は、単なる例示であることが理解される。したがって、ストラット１００は、本明細書に示され説明された数より多くのまたは少ない開口１１０を含んでもよい。
【００２６】
開口１１０は、ストラット１００内に形成されたときに、様々な形状、配向および／または幾何学的形状を含むことができる。開口１１０、および開口１１０の形状または幾何学的形状は、以下で詳細に論じるように、ガスタービンシステム１０の動作中にストラット１００の移動および柔軟性に変化、影響、制御および／または効果を与えることができる。図３に示す非限定的な例では、ストラット１００の各開口１１０Ａ，１１０Ｂは、キーホールスロットとして形成することができる。具体的には、開口１１０Ａ，１１０Ｂは、半径方向開口部１１２の各端部に形成された２つの実質的に端部開口部１１８の間に半径方向に延びる半径方向開口部１１２を含む二重キーホールスロットとして形成することができる。半径方向開口部１１２の各端部に形成された端部開口部１１８は、より大きくてもよく、および／または半径方向開口部１１２の幅より大きい直径または幅を有してもよい。その結果、端部開口部１１８は、ストラット１００内の半径方向開口部１１２を超えて軸方向に延びることができる。図３の非限定的な例に示すように、開口１１０Ａ，１１０Ｂの半径方向開口部１１２は、実質的に均一な幅を含むことができ、および／または形状を実質的に直線状とすることができる。
【００２７】
図に示す開口１１０の形状および／または幾何学的形状は、単なる例示であることが理解される。したがって、ストラット１００は、本明細書に示され説明されたものとは異なる開口１１０の形状および／または幾何学的形状を含んでもよい。さらに、開口１１０の間に同様の、鏡写しの、または同一の形状を含むように本明細書に示されているが、ストラット１００を通して形成された各開口１１０は、互いに区別され得ることが理解される。結果として、排気フレーム３４の各ストラット１００は、同様または同一形状の開口を含むことができ、あるいは、同じストラット１００および／または排気フレーム３４の別個のストラット１００の別個の開口１１０とは異なる形状または幾何学形状を有する開口１１０を含むことができる。
【００２８】
ストラット１００は、様々な部分およびセクションを含むことができる。すなわち、ストラット１００、具体的にはストラット１００の本体１０１は、様々な部分と、様々な部分とは別個とすることができる様々なセクションとを含むことができる。本明細書で論じるように、ストラット１００の様々な部分は、ストラット１００の本体１０１の特徴または幾何学的形状（たとえば、軸方向幅および／または円周方向厚さ）によって画定することができる。逆に、以下に詳述するように、ストラット１００の様々なセクションは、ストラット１００の本体１０１を通して形成された開口１１０によって画定されてもよい。
【００２９】
ストラット１００は、第１の端部１０２と第２の端部１０４との間に軸方向に配置され、形成され、かつ／または半径方向に延びる別個の部分を含むことができる。図３に示すように、ストラット１００は、ストラット１００の第１の端部１０２と第２の端部１０４との間に形成され、かつ／または延びる第１の部分１２０、第２の部分１２２、および第３の部分１２４を含むことができる。ストラット１００の別個の部分１２０，１２２，１２４はまた、前縁１０６と後縁１０８との間に形成および／または配置されてもよい。具体的には、第１の部分１２０は、前縁１０６と第２の部分１２２との間に形成することができる。第２の部分１２２は、第１の部分１２０の軸方向に隣接して下流に形成されてもよい。さらに、第２の部分１２２は、第１の部分１２０と第３の部分１２４との間に形成されてもよい。第３の部分１２４は、第２の部分１２２の軸方向に隣接して下流に配置されてもよく、ストラット１００の第２の部分１２２と後縁１０８との間に形成されてもよい。図に示す部分の数は、単なる例示であることが理解される。したがって、ストラット１００は、本明細書に示され説明された数より多くのまたは少ない半径方向部分を含んでもよい。あるいは、ストラット１００は、第１の端部１０２と第２の端部１０４との間に延びる単一の部分を含んでもよい。
【００３０】
図３に示す非限定的な例では、第１の部分１２０、第２の部分１２２および第３の部分１２４の各々は、互いに異なる軸方向幅を含むことができる。すなわち、第１の部分１２０の軸方向幅は、第２の部分１２２および第３の部分１２４の軸方向幅とは異なっていてもよい。さらに、第２の部分１２２の軸方向幅は、第３の部分１２４の軸方向幅とは異なっていてもよい。ストラット１００の各部分の軸方向幅は、本明細書で論じるように、ガスタービンシステム１０の動作中にストラット１００の移動および柔軟性に影響、制御および／または効果を与えることができる。さらに、本明細書で論じるように、ストラット１００の各部分の軸方向幅はまた、ガスタービンシステム１０の動作中にストラット１００の機能または効率（たとえば、空気力学）に効果を与える（たとえば、改良する）ことができる。本明細書では別個のものとして説明しているが、ストラット１００の第１の部分１２０、第２の部分１２２および第３の部分１２４の少なくとも２つの軸方向幅は、実質的に同様であっても、等しくても、または同一であってもよいことが理解される。
【００３１】
異なる軸方向幅に加えて、またはそれとは独立して、ストラット１００の複数の部分１２０，１２２，１２４は、円周方向厚さを変化させることによって画定することができる。簡単に図４を参照すると、図３の線４−４に沿ったストラット１００の断面底面図が示されている。図４に示す非限定的な例では、ストラット１００の複数の部分１２０，１２２，１２４の少なくとも２つは、別個の円周方向厚さ（Ｔ）を含むことができる。具体的には、ストラット１００の第１の部分１２０は、第１の円周方向厚さ（Ｔ1）を含み、第２の部分１２２は、第１の部分１２０の第１の円周方向厚さ（Ｔ1）とは異なる、またはそれより大きい第２の円周方向厚さ（Ｔ2）を含む。さらに、図４に示すように、第３の部分１２４は、第３の円周方向厚さ（Ｔ3）を含むことができる。第１の円周方向厚さ（Ｔ1）と同様に、第２の円周方向厚さ（Ｔ2）は、第３の部分１２４の第３の円周方向厚さ（Ｔ3）とは異なるか、またはそれより大きくてもよい。非限定的な例では、第３の部分１２４の第３の円周方向厚さ（Ｔ3）は、第１の部分１２０の第１の円周方向厚さ（Ｔ1）と等しいか、または異なっていてもよい（たとえば、より大きくても、より小さくてもよい）。ストラット１００の各部分の円周方向厚さ（Ｔ）は、本明細書で論じるように、ガスタービンシステム１０の動作中にストラット１００の移動および柔軟性に影響、制御および／または効果を与えることができる。さらに、本明細書で論じるように、ストラット１００の各部分の円周方向厚さ（Ｔ）はまた、ガスタービンシステム１０の動作中にストラット１００の機能または効率（たとえば、空気力学）に効果を与える（たとえば、改良する）ことができる。少なくとも２つの別個の円周方向厚さを有すると示されているが、ストラット１００は、複数の部分１２０，１２２，１２４に対してより多くのまたは少ない厚さを含んでもよいことが理解される。あるいは、第１の端部１０２と第２の端部１０４との間に形成されたストラット１００の部分は、本明細書で論じるように、円周方向厚さが実質的に均一であってもよい。
【００３２】
ストラット１００の複数の部分１２０，１２２，１２４の少なくとも１つは、開口１１０を含むことができる。具体的には、図３に示す非限定的な例では、第１の開口１１０Ａはストラット１００の第２の部分１２２を通して形成することができ、第２の開口１１０Ｂはストラット１００の第３の部分１２４を通して形成することができる。本明細書で論じるように、ストラット１００の別個の部分１２０，１２２，１２４内の開口１１０の形成は、ガスタービンシステム１０の動作中にストラット１００の移動および柔軟性に影響、制御および／または効果を与えることができる。図に示すストラット１００の別個の部分１２０，１２２，１２４における各開口１１０の形成または位置は、単なる例示であることが理解される。したがって、開口１１０は、本明細書に示され説明された部分よりもストラット１００の複数の部分１２０，１２２，１２４のいずれかまたはすべてに形成されてもよい。
【００３３】
図３に戻って、引き続き図４を参照すると、排気フレーム３４のストラット１００は、複数のセクションを含むことができる。複数のセクションは、ストラット１００の複数の部分１２０，１２２，１２４とは異なっていてもよい。具体的には、複数のセクション１２６，１２８，１３０は、ストラット１００内におよび／またはストラット１００を通して形成された開口１１０によって、少なくとも部分的に形成および／または画定されてもよい。ストラット１００が開口１１０Ａ，１１０Ｂを含む非限定的な例では、３つの別個のセクション１２６，１２８，１３０がストラット１００に形成されてもよい。図３および図４に示すように、第１のセクション１２６は前縁１０６と第１の開口１１０Ａとの間に形成することができ、第２のセクション１２８は第１の開口１１０Ａと後縁１０８との間に形成することができる。より具体的には、ストラット１００の第２のセクション１２８は、第１のセクション１２６の軸方向に隣接しておよび／または下流に、第１の開口１１０Ａと第２の開口１１０Ｂとの間に形成されてもよい。さらに、ストラット１００の第３のセクション１３０は、第２のセクション１２８の軸方向に隣接しておよび／または下流に、後縁１０８と第２の開口１１０Ｂとの間に形成されてもよい。
【００３４】
ストラット１００の複数のセクション１２６，１２８，１３０の各々は、軸方向幅を含むことができる。複数のセクション１２６，１２８，１３０の各々の幅は、ストラット１００の縁部（たとえば、前縁１０６、後縁１０８）と開口１１０との間の軸方向距離、および／または、２つの開口１１０（たとえば、第１の開口１１０Ａ、第２の開口１１０Ｂ）の間の軸方向距離によって画定することができる。図３に示すように、第１のセクション１２６は第１の軸方向幅（Ｗ1）を含み、第２のセクション１２８は第２の軸方向幅（Ｗ2）を含み、第３のセクション１３０は第３の軸方向幅（Ｗ3）を含むことができる。図３に示す非限定的な例では、第１のセクション１２６の第１の軸方向幅（Ｗ1）は、第２のセクション１２８の第２の軸方向幅（Ｗ2）および第３のセクションの第３の軸方向幅（Ｗ3）１３０と同様であっても、等しくてもよい。本明細書で説明する他の非限定的な例では、第１のセクション１２６の第１の軸方向幅（Ｗ1）は、第２のセクション１２８の第２の軸方向幅（Ｗ2）および／または第３のセクション１３０の第３の軸方向幅（Ｗ3）とは異なっていてもよい。さらに、第２のセクション１２８の第２の軸方向幅（Ｗ2）は、第３のセクション１３０の第３の軸方向幅（Ｗ3）とは異なっていてもよい。本明細書で論じるように、ストラット１００の各セクションの幅は、ガスタービンシステム１０の動作中にストラット１００の複数のセクション１２６，１２８，１３０の移動および柔軟性に影響、制御および／または効果を与えることができる。
【００３５】
上述のように、ストラット１００の複数の部分１２０，１２２，１２４は、各セクションのそれぞれの幅および／または厚さによって画定されてもよい。逆に、ストラット１００の複数のセクション１２６，１２８，１３０は、ストラット１００に形成された開口１１０によって画定されてもよい。したがって、ストラット１００の複数の部分１２０，１２２，１２４および複数のセクション１２６，１２８，１３０は、ストラット１００の同じ領域に位置合わせされず、対応せず、および／または参照していなくてもよい。すなわち、ストラット１００の複数のセクション１２６，１２８，１３０の少なくとも１つのセクションは、複数の部分１２０，１２２，１２４の複数の（たとえば、２つ以上の）部分を含むおよび／またはその上を（軸方向に）広がることができ、その逆も同様である。図３および図４に示す非限定的な例では、第１の開口１１０Ａは、ストラット１００の第２の部分１２２に形成されてもよい。その結果、ストラット１００の第１のセクション１２６は、第１の部分１２０および第２の部分１２２の一部を含むおよび／またはその上を軸方向に広がることができる。さらに、図３および図４に示す非限定的な例では、第２の開口１１０Ｂは、ストラット１００の第３の部分１２４に形成されてもよい。したがって、ストラット１００の第２のセクション１２８は、第２の部分１２２の一部および第３の部分１２４の一部を含むおよび／またはその上を軸方向に広がることができる。ストラット１００の第３のセクション１３０は、第２のセクション１２８に含まれない第３の部分１２４の残りの部分を含むおよび／またはその上を軸方向に広がることができる。
【００３６】
ストラット１００の複数のセクション１２６，１２８，１３０の各々は、ストラット１００を通して形成され、ストラット１００の上に半径方向に延びる開口１１０の結果として、互いに独立して屈曲および／または移動することができる。具体的には、図３および図４に示す非限定的な例では、ストラット１００の第１のセクション１２６は、第２のセクション１２８および第３のセクション１３０それぞれとは独立して移動するように構成することができる。さらに、ストラット１００の第２のセクション１２８は、第１のセクション１２６および第３のセクション１３０とは独立して移動するように構成されてもよい。最後に、ストラット１００の第３のセクション１３０は、第１のセクション１２６および第２のセクション１２８とは独立して移動するように構成されてもよい。
【００３７】
ストラット１００の複数のセクション１２６，１２８，１３０の各々を互いに独立して移動させることにより、ガスタービンシステム１０の動作中に排気フレーム３４および／またはストラット１００が受ける負荷および／または応力は、ストラット１００によってより効率的に分配され、および／またはより効率的に管理され得る。ストラット１００が受ける負荷および／または応力の改良された分配および／または管理は、ストラット１００および排気フレーム３４、ならびに最終的にガスタービンシステム１０全体の動作および／または機能を改良することができる。たとえば、排気フレーム３４にストラット１００を含めることで、本明細書で論じるストラット１００より強固で厚い従来のストラットと同じ量の支持および／または負荷分配が可能になる。これと比較して、より薄いストラット１００は、排気フレーム３４の流れ領域４６内で多くのスペースを「遮断」または占めることはなく、最終的には、燃焼ガス２６がより速くおよび／またはより容易に排気フレーム３４を通って流れ、および／または排気フレーム３４を排出することを可能にする。
【００３８】
別の例では、ストラット１００は、従来の強固な／厚いストラットより流れ領域４６内を占めるスペースは少ない。これらの改良された機能および／または特性は、ガスタービンシステム１０の排気フレーム３４および／またはストラット１００の動作寿命を延ばすことができる。
【００３９】
図５〜図１０は、ガスタービンシステム１０（図１参照）の排気フレーム３４に含まれ得るストラット１００の追加の非限定的な例の側面図を示す。同様の符号を付したおよび／または名前をつけた構成要素は、実質的に同様の態様で機能し得ることが理解される。これらの構成要素の冗長な説明は、明確化のために省略している。
【００４０】
図５に示すように、図３とは異なり、ストラット１００は、単一の開口１１０のみを含むことができる。開口１１０は、ストラット１００の第２の部分１２２に形成され、前縁１０６と後縁１０８との間に半径方向に延びることができる。図３に示す非限定的な例と同様に、図５に示すストラット１００に形成された開口１１０は、２つの端部開口部１１８の間に延びる半径方向開口部１１２を有するキーホールスロットを含むことができる。非限定的な例では、ストラット１００は、第１のセクション１２６と、第１のセクション１２６から独立して移動するように構成された第２のセクション１２８とを含むことができる。ストラット１００の第１のセクション１２６は、第１の部分１２０および第２の部分１２２の一部を含むおよび／またはその上を軸方向に広がることができる。さらに、ストラット１００の第２のセクション１２８は、第２の部分１２２および第３の部分１２４の一部を含むおよび／またはその上を軸方向に広がることができる。同様に、本明細書で論じるように、ストラット１００の第１のセクション１２６および第２のセクション１２８は、それぞれ第１の軸方向幅（Ｗ1）および第２の軸方向幅（Ｗ2）を含むことができる。図５の非限定的な例に示すように、第１のセクション１２６の第１の軸方向幅（Ｗ1）は、第２のセクション１２８の第２の軸方向幅（Ｗ2）とは異なるか、またはより小さくてもよい。
【００４１】
図６に示す非限定的な例では、ストラット１００は、ストラット１００の第３の部分１２４に形成された単一の開口１１０を含み、前縁１０６と後縁１０８との間で半径方向に延びることができる。前述の開口と同様に、図６に示すストラット１００に形成された開口１１０は、２つの端部開口部１１８の間に延びる半径方向開口部１１２を有するキーホールスロットを含むことができる。非限定的な例では、ストラット１００は、第１のセクション１２６と、第１のセクション１２６から独立して移動するように構成された第２のセクション１２８とを含むことができる。ストラット１００の第１のセクション１２６は、第１の部分１２０、第２の部分１２２および第３の部分１２４の一部を含むおよび／またはその上を軸方向に広がることができる。さらに、ストラット１００の第２のセクション１２８は、第３の部分１２４の残りの部分を含むおよび／またはその上を軸方向に広がることができる。図６の非限定的な例に示すように、図５に示す例とは異なり、第１のセクション１２６の第１の軸方向幅（Ｗ1）は、第２のセクション１２８の第２の軸方向幅（Ｗ2）とは異なるか、またはより大きくてもよい。
【００４２】
図３および図４に関して本明細書で論じられるストラット１００と比較して、図７に示すストラット１００の非限定的な例は、前縁１０６と後縁１０８との間に形成されたストラット１００の部分に単一のまたは均一な厚さを含むことができる。その結果、図７に示すストラット１００は、単一のまたは第１の部分１２０のみを含むことができる。開口１１０（たとえば、キーホールスロット）は、ストラット１００（たとえば、第１の部分１２０）に形成され、前縁１０６と後縁１０８との間に半径方向に延びることができる。図５および図６に示す例と同様に、図７に示すストラット１００は、第１のセクション１２６および第２のセクション１２８を含むことができ、第２のセクション１２８は第１のセクション１２６から独立して移動するように構成される。ストラット１００の第１のセクション１２６および第２のセクション１２８は、ストラット１００の第１の部分１２０の別個の部分を含むおよび／またはその上を軸方向に広がることができる。図７の非限定的な例に示すように、第１のセクション１２６の第１の軸方向幅（Ｗ1）は、第２のセクション１２８の第２の軸方向幅（Ｗ2）と実質的に同様であっても、等しくてもよい。
【００４３】
図８に示すストラット１００は、図３および図４に関して本明細書で示し説明した非限定的なストラット（たとえば、開口１１０Ａ，１１０Ｂ）と実質的に同様であってもよい。しかし、図８に示すストラット１００の開口１１０Ａ，１１０Ｂは、図３および図４に示す開口とは異なるものであってもよい。具体的には、図８に示すように、第１の開口１１０Ａおよび第２の開口１１０Ｂは、ストラット１００を通して形成された直線状の開口部１１２のみを含むことができる。端部開口部１１８（図３参照）を排除し、および／またはキーホールスロット開口を形成しないことによって、図８に示すストラット１００の非限定的な例は、第１の端部１０２および第２の端部１０４にそれぞれ隣接して形成されたストラット１００の部分に対して、より剛性および／または支持を提供することができる。さらに、図８に示すストラット１００に形成された開口１１０Ａ，１１０Ｂの形状または幾何学的形状の結果として、ストラット１００の各セクション（たとえば、第１のセクション１２６、第２のセクション１２８）は、ガスタービンシステム１０（図１参照）の動作中、移動能力および／または柔軟性が低下しても少なくてもよい。
【００４４】
図９に示す非限定的な例では、第１の開口１１０Ａおよび第２の開口１１０Ｂは、追加の固有の形状または幾何学的形状を含むことができる。具体的には、第１の開口１１０Ａおよび第２の開口１１０Ｂは、端部開口部１１８の間に半径方向に延びる実質的に湾曲した開口部１３２を含むことができる。具体的には、第１の開口１１０Ａの湾曲した開口部１３２は、ストラット１００の前縁１０６に向かって軸方向に延びるように（たとえば、凹状に）形成され、第２の開口１１０Ｂの湾曲した開口部１３２は、後縁１０８に向かって軸方向に延びるように（たとえば、凸状に）形成されてもよい。したがって、第１の開口１１０Ａおよび第２の開口１１０Ｂの湾曲した開口部１３２はまた、互いに軸方向に離れて延びることができる。図９に示すように、第１の開口１１０Ａおよび第２の開口１１０Ｂは、互いに（軸方向の）鏡像であってもよい。
【００４５】
開口１１０の一部を形成する湾曲した開口部１３２の結果として、ストラット１００の複数のセクション１２６，１２８，１３０は、様々な厚さを含むことができる。図９の非限定的な例に示すように、第１のセクション１２６および第３のセクション１３０の厚さは、それぞれのセクションがストラット１００の端部（たとえば、第１の端部１０２、第２の端部１０４）から湾曲した開口部１３２の半径方向中心点に向かって半径方向に移動するにつれて、より小さくなり得る（たとえば、半径方向に収束する）。第２のセクション１２８の厚さは、第１のセクション１２６および第３のセクション１３０とは反対の関係を有することができる。すなわち、第２のセクション１２８の厚さは、セクションがストラット１００の端部（たとえば、第１の端部１０２、第２の端部１０４）から湾曲した開口部１３２の半径方向中心点に向かって半径方向に移動するにつれて、より大きくなり得る（半径方向に広がる）。別の非限定的な例では、第１の開口１１０Ａの湾曲した開口部１３２は、前縁１０６から軸方向に離れて延びるように形成され、第２の開口１１０Ｂの湾曲した開口部１３２は、後縁１０８から軸方向に離れて延びるように形成されてもよい。この非限定的な例では、上述した複数のセクション１２６，１２８，１３０の厚さの関係は、反対であってもよい（たとえば、第２のセクション１２８の厚さが半径方向に収束する）。
【００４６】
図１０は、ストラット１００の第１の開口１１０Ａおよび第２の開口１１０Ｂの形状または幾何学的形状に関する追加の非限定的な例を示す。すなわち、第１の開口１１０Ａおよび第２の開口１１０Ｂは、端部開口部１１８の間に半径方向に延びる可変幅開口部１３４を含むことができる。可変幅開口部１３４の幅は、可変幅開口部１３４が各端部開口部１１８から半径方向に離れて移動するにつれて収束するか、またはより小さくなり得る。具体的には、第１の開口１１０Ａおよび第２の開口１１０Ｂの可変幅開口部１３４は、可変幅開口部１３４の半径方向中心点に隣接する幅よりも、各端部開口部１１８に隣接するより大きい幅を有することができる。
【００４７】
開口１１０の一部を形成する可変幅開口部１３４の結果として、ストラット１００の複数のセクション１２６，１２８，１３０は、様々な厚さを含むことができる。図１０の非限定的な例に示すように、第１のセクション１２６、第２のセクション１２８および第３のセクション１３０の厚さは、各セクションがストラット１００の端部（たとえば、第１の端部１０２、第２の端部１０４）から可変幅開口部１３４の半径方向中心点に向かって半径方向に移動するにつれて、より大きくなり得る（半径方向に広がる）。別の非限定的な例では、開口１１０の可変幅開口部１３４は、可変幅開口部１３４が各端部開口部１１８から半径方向に離れて移動するにつれて半径方向に広がるか、またはより大きくなるように形成され得る。この非限定的な例では、上述した複数のセクション１２６，１２８，１３０の厚さの関係は、反対であってもよい（たとえば、複数のセクション１２６，１２８，１３０の厚さが半径方向に収束する）。
【００４８】
様々な実施形態において、互いに「流体結合された」または「流体連通する」と記載された構成要素は、１つまたは複数の界面に沿って接合することができる。いくつかの実施形態では、これらの界面は、別個の構成要素の間の接合部を含むことができ、他の場合には、これらの界面は、強固におよび／または一体的に形成された相互接続を含むことができる。すなわち、場合によっては、互いに「結合された」構成要素は、単一の連続した部材を画定するように同時に形成することができる。しかし、他の実施形態では、これらの結合された構成要素は、別々の部材として形成することができ、その後公知のプロセス（たとえば、締結、超音波溶接、接着）により接合することができる。
【００４９】
ある要素または層が、別の要素に対して「上に位置し」、「係合し」、「接続され」あるいは「結合し」ていると称される場合、他の要素に対して直接的に上に位置し、係合し、接続され、あるいは結合しても、介在の要素が存在してもよい。対照的に、ある要素が、別の要素に対して「直接的に上に位置し」、「直接的に係合し」、「直接的に接続され」あるいは「直接的に結合し」ていると称される場合、いかなる介在の要素または層も存在できないかもしれない。要素間の関係を記述するために使用される他の単語も同様なやり方（たとえば、「の間に」対「の間に直接」、「隣接する」対「直接隣接する」など）で解釈するべきである。本明細書で使用する場合、「および／または」という用語は、関連する列挙された項目のいずれかおよび１つもしくは複数のすべての組合せを含む。
【００５０】
本明細書で使用される専門用語は、単に特定の実施形態を説明するためのものに過ぎず、本開示を限定するものではない。本明細書で使用する場合、単数形「１つの（ａ）」、「１つの（ａｎ）」および「この（ｔｈｅ）」は、特に明示しない限り、複数形も含むことが意図される。「含む（ｃｏｍｐｒｉｓｅｓ）」および／または「含む（ｃｏｍｐｒｉｓｉｎｇ）」という用語は、本明細書で使用される場合に、記載した特徴、整数、ステップ、動作、要素、および／または構成要素の存在を示すが、１つもしくは複数の他の特徴、整数、ステップ、動作、要素、構成要素、および／またはこれらのグループの存在もしくは追加を排除するものではないことがさらに理解されるであろう。
【００５１】
本明細書は、最良の形態を含んだ本発明の開示のために、また、任意のデバイスまたはシステムの製作および使用、ならびに任意の組み込まれた方法の実行を含んだ本発明の実施がいかなる当業者にも可能になるように、実施例を用いている。本発明の特許可能な範囲は、特許請求の範囲によって定義され、当業者が想到する他の実施例を含むことができる。このような他の実施例は、特許請求の範囲の文言との差がない構造要素を有する場合、または特許請求の範囲の文言との実質的な差がない等価の構造要素を含む場合、特許請求の範囲内にあることを意図している。
［実施態様１］
タービンシステム（１０）の排気フレーム（３４）用ストラット（１００）であって、前記ストラット（１００）は、
前縁（１０６）および後縁（１０８）を含む本体（１０１）と、
前記本体（１０１）を通して形成され、前記前縁（１０６）と前記後縁（１０８）との間に半径方向に延びる開口（１１０）と、
前記前縁（１０６）と前記開口（１１０）との間に形成された第１のセクション（１２６）と、
前記後縁（１０８）と前記開口（１１０）との間に形成され、前記第１のセクション（１２６）から独立して移動するように構成された第２のセクション（１２８）と
を含む、ストラット（１００）。
［実施態様２］
前記開口（１１０）に軸方向に隣接して前記本体（１０１）を通して形成された別個の開口（１１０Ａ，１１０Ｂ）をさらに含み、前記別個の開口（１１０Ａ，１１０Ｂ）が、前記前縁（１０６）と前記後縁（１０８）との間に半径方向に延びる、
実施態様１に記載のストラット（１００）。
［実施態様３］
前記第２のセクション（１２８）が、前記開口（１１０）と前記別個の開口（１１０Ａ，１１０Ｂ）との間に形成される、実施態様２に記載のストラット（１００）。
［実施態様４］
前記後縁（１０８）と前記別個の開口（１１０Ａ，１１０Ｂ）との間に前記本体（１０１）を通して形成され、
前記第１のセクション（１２６）、および
前記第２のセクション（１２８）から独立して移動するように構成された第３のセクション（１３０）
をさらに含む、実施態様３に記載のストラット（１００）。
［実施態様５］
前記第１のセクション（１２６）の軸方向幅が、
前記第２のセクション（１２８）、および
前記第３のセクション（１３０）の軸方向幅に等しい、
実施態様４に記載のストラット（１００）。
［実施態様６］
前記第１のセクション（１２６）が、前記第２のセクション（１２８）の第２の軸方向幅（Ｗ2）とは異なる第１の軸方向幅（Ｗ1）を含む、実施態様１に記載のストラット（１００）。
［実施態様７］
前記開口（１１０）が、キーホールスロットを含む、実施態様１に記載のストラット（１００）。
［実施態様８］
タービンシステム（１０）用排気フレーム（３４）であって、前記排気フレーム（３４）は、
内側ケーシング（３８）と、
前記内側ケーシング（３８）を同心状に囲む外側ケーシング（４０）と、
前記内側ケーシング（３８）と前記外側ケーシング（４０）との間に半径方向に延びて結合された複数のストラット（１００）と
を含み、前記複数のストラット（１００）の各々は、
前縁（１０６）および後縁（１０８）を含む本体（１０１）と、
前記本体（１０１）を通して形成され、前記前縁（１０６）と前記後縁（１０８）との間に半径方向に延びる開口（１１０）と、
前記前縁（１０６）と前記開口（１１０）との間に形成された第１のセクション（１２６）と、
前記後縁（１０８）と前記開口（１１０）との間に形成され、前記第１のセクション（１２６）から独立して移動するように構成された第２のセクション（１２８）と
を含む、排気フレーム（３４）。
［実施態様９］
前記複数のストラット（１００）の少なくとも１つが、
前記開口（１１０）に軸方向に隣接して前記本体（１０１）を通して形成された別個の開口（１１０Ａ，１１０Ｂ）をさらに含み、前記別個の開口（１１０Ａ，１１０Ｂ）が、前記前縁（１０６）と前記後縁（１０８）との間に半径方向に延びる、
実施態様８に記載の排気フレーム（３４）。
［実施態様１０］
前記第２のセクション（１２８）が、前記開口（１１０）と前記別個の開口（１１０Ａ，１１０Ｂ）との間に形成される、実施態様９に記載の排気フレーム（３４）。
［実施態様１１］
前記後縁（１０８）と前記別個の開口（１１０Ａ，１１０Ｂ）との間に形成され、
前記第１のセクション（１２６）、および
前記第２のセクション（１２８）から独立して移動するように構成された第３のセクション（１３０）
をさらに含む、実施態様１０に記載の排気フレーム（３４）。
［実施態様１２］
前記第１のセクション（１２６）の軸方向幅が、
前記第２のセクション（１２８）、および
前記第３のセクション（１３０）の軸方向幅に等しい、
実施態様１１に記載の排気フレーム（３４）。
［実施態様１３］
前記第１のセクション（１２６）が、前記第２のセクション（１２８）の第２の軸方向幅（Ｗ2）とは異なる第１の軸方向幅（Ｗ1）を含む、実施態様８に記載の排気フレーム（３４）。
［実施態様１４］
前記複数のストラット（１００）の各々の前記開口（１１０）が、キーホールスロットを含む、実施態様８に記載の排気フレーム（３４）。
［実施態様１５］
タービンシェル（３６）を含むタービン（２８）と、
前記タービン（２８）を通って延びるシャフト（３０）と、
前記タービン（２８）に隣接して配置された排気フレーム（３４）と
を含み、前記排気フレーム（３４）は、
前記シャフト（３０）を受け入れるように構成された内側ケーシング（３８）と、
前記内側ケーシング（３８）を同心状に囲み、前記タービンシェル（３６）に結合された外側ケーシング（４０）と、
前記内側ケーシング（３８）と前記外側ケーシング（４０）との間に半径方向に延びて結合された複数のストラット（１００）と
を含み、前記複数のストラット（１００）の少なくとも１つは、
前縁（１０６）および後縁（１０８）を含む本体（１０１）と、
前記本体（１０１）を通して形成され、前記前縁（１０６）と前記後縁（１０８）との間に半径方向に延びる開口（１１０）と、
前記前縁（１０６）と前記開口（１１０）との間に形成された第１のセクション（１２６）と、
前記後縁（１０８）と前記開口（１１０）との間に形成され、前記第１のセクション（１２６）から独立して移動するように構成された第２のセクション（１２８）と
を含む、タービンシステム（１０）。
［実施態様１６］
前記複数のストラット（１００）の少なくとも１つが、
前記開口（１１０）に軸方向に隣接して前記本体（１０１）を通して形成された別個の開口（１１０Ａ，１１０Ｂ）をさらに含み、前記別個の開口（１１０Ａ，１１０Ｂ）が、前記前縁（１０６）と前記後縁（１０８）との間に半径方向に延びる、
実施態様１５に記載のタービンシステム（１０）。
［実施態様１７］
前記第２のセクション（１２８）が、前記開口（１１０）と前記別個の開口（１１０Ａ，１１０Ｂ）との間に形成される、実施態様１６に記載のタービンシステム（１０）。
［実施態様１８］
前記後縁（１０８）と前記別個の開口（１１０Ａ，１１０Ｂ）との間に形成され、
前記第１のセクション（１２６）、および
前記第２のセクション（１２８）から独立して移動するように構成された第３のセクション（１３０）
をさらに含む、実施態様１７に記載のタービンシステム（１０）。
［実施態様１９］
前記第１のセクション（１２６）の軸方向幅が、
前記第２のセクション（１２８）、および
前記第３のセクション（１３０）の軸方向幅に等しい、
実施態様１８に記載のタービンシステム（１０）。
［実施態様２０］
前記第１のセクション（１２６）が、前記第２のセクション（１２８）の第２の軸方向幅（Ｗ2）とは異なる第１の軸方向幅（Ｗ1）を含む、実施態様１５に記載のタービンシステム（１０）。
【符号の説明】
【００５２】
１０  ガスタービンシステム
１２  圧縮機
１８  空気
２０  圧縮された空気
２２  燃焼器
２４  燃料
２６  燃焼ガス
２８  タービン
３０  シャフト
３２  外部負荷
３４  排気フレーム
３６  タービンシェル
３８  内側ケーシング
４０  外側ケーシング
４２  開口部
４４  開口部
４６  流れ領域
１００  ストラット
１０１  本体
１０２  第１の端部
１０４  第２の端部
１０６  前縁
１０８  後縁
１１０  開口
１１０Ａ  第１の開口
１１０Ｂ  第２の開口
１１２  半径方向開口部
１１８  端部開口部
１２０  第１の部分
１２２  第２の部分
１２４  第３の部分
１２６  第１のセクション
１２８  第２のセクション
１３０  第３のセクション
１３２  湾曲した開口部
１３４  可変幅開口部
Ａ  軸方向の軸線
Ｃ  円周方向の軸線
Ｒ  半径方向の軸線
Ｗ1  第１の軸方向幅
Ｗ2  第２の軸方向幅
【図１】
2018115656.tif 000003
【図２】
2018115656.tif 000004
【図３】
2018115656.tif 000005
【図４】
2018115656.tif 000006
【図５】
2018115656.tif 000007
【図６】
2018115656.tif 000008
【図７】
2018115656.tif 000009
【図８】
2018115656.tif 000010
【図９】
2018115656.tif 000011
【図１０】
2018115656.tif 000012
【外国語明細書】
2018115656000001.pdf